(57)【要約】【課題】フレキシブルフラットケーブル１のコネクタ６への挿入作業を簡単に行えるようにし、かつフレキシブルフラットケーブル１の変形や接点部１１，１２の腐食を防止することを目的とする。【解決手段】フレキシブルフラットケーブル１の端子部３，４を覆うように治具１３を取りつける。治具１３は一端１３１をケーブル本体の端子部近傍に固定し、他端を把持部１３２とし、この把持部１３２を持ってコネクタ６に挿入することにより接点部１１をコネクタ６の接点部６３と接続することができ、挿入時はフレキシブルフラットケーブル本体を掴んだり、接点部に触れることがないため、ケーブルの変形や接点部の腐食を防止することができる。【選択図】　　図１
2004063113.tif 000002
【特許請求の範囲】
【請求項１】
端部にコネクタへ接続するための接点部を有するフラットケーブル本体と、
前記接点部を避けたフラットケーブル本体の表面に一端が固定され、他端が前記接点部を覆うとともに、この他端を把持部として持ち上げ可能な平板状の治具とを具備して成るフレキシブルフラットケーブル。
【請求項２】
前記治具は、一端が前記フラットケーブル本体の表面に接着されてなることを特徴とする請求項１記載のフレキシブルフラットケーブル。
【請求項３】
前記治具は、前記把持部の幅が前記コネクタのケーブル挿入口の幅よりも大きいことを特徴とする請求項１記載のフレキシブルフラットケーブル。
【請求項４】
前記治具は、平板状の導電材にて形成したことを特徴とする請求項１記載のフレキシブルフラットケーブル。
【発明の詳細な説明】
【０００１】
【発明の属する技術分野】
本発明はコネクタに挿入されるフレキシブルフラットケーブルに関するもので、端子部の保護と腐食防止を可能とするものである。
【０００２】
【従来の技術】
一般に、電子機器においては、回路基板間を電気的に接続するためにフレキシブルフラットケーブルが用いられている。このフレキシブルフラットケーブルを回路基板に固定されたコネクタに接続する際には、フレキシブルフラットケーブルの両端部に設けた端子部を、コネクタの挿入口に挿入するようにしていた。
【０００３】
しかしながら、従来のフレキシブルフラットケーブルは、柔軟性に富むため、コネクタに挿入する際は端子部を持って挿入する必要があり、挿入時に端子部が曲がってしまうことが多く、フレキシブルフラットケーブルが曲がって変形したり、端子部に手指が触れて腐食を招いたりする欠点があった。
【０００４】
このような欠点に対処するため、特開平６−２８３２３６号公報には、フレキシブルフラットケーブルの端末部を直角に屈曲した状態で保持するクリップを取りつけ、このクリップをコネクタ側へ押圧して端末部をコネクタの装着口へ挿入するようにした例が示されている。
【０００５】
しかしながら、この先行技術に示される例では、フレキシブルフラットケーブルの端子部を直角に折り曲げてクリップに取りつける必要があり、クリップも特殊な形状となるため、フレキシブルフラットケーブルの加工に時間がかかり、回路基板に取りつけたコネクタに対し、フレキシブルフラットケーブルの直角に折り曲がった端子部を上側から挿入する必要があるため、コネクタとクリップによる厚みが増加するため、薄型が要求される製品には適さないという不都合がある。
【０００６】
【発明が解決しようとする課題】
上記のように従来のフレキシブルフラットケーブルは、端子部をそのままコネクタの挿入口に挿入していたので、挿入時に端子部が曲がってしまうことが多く、また端子部に手指が触れるため腐食の原因となっていた。またフレキシブルフラットケーブルの保管時に端子部に静電気による過電圧が加わり、品質劣化を招くという欠点があった。またフレキシブルフラットケーブルの端末部に特殊なクリップを取りつける構造では、ケーブルの加工を要し、薄型が要求される製品には適さないという不都合がある。
【０００７】
本発明はこのような問題点を解消し、コネクタへの挿入が簡単で、薄型が要求される製品に適したフレキシブルフラットケーブルを提供することを目的とする。
【０００８】
【課題を解決するための手段】
本発明は、端部にコネクタへ接続するための接点部を有するフラットケーブル本体と、前記接点部を避けたフラットケーブル本体の表面に一端が固定され、他端が前記接点部を覆うとともに、この他端を把持部として持ち上げ可能な平板状の治具とを具備して成るフレキシブルフラットケーブルである。
【０００９】
本発明によれば、前記治具の把持部を持ってフレキシブルフラットケーブルをコネクタに挿入することができ、コネクタへの挿入時にフレキシブルフラットケーブル本体を掴んだり、接点部に触れることがないため、ケーブルの変形や接点部の腐食を防止することができる。
【００１０】
【発明の実施の形態】
以下、本発明の実施の形態について図面を参照して説明する。
【００１１】
図１は、本発明のフレキシブルフラットケーブル及びそれが挿入されるコネクタを示す分解斜視図であり、図２、図３はフレキシブルフラットケーブルをコネクタに挿入するときの動作を説明する平面図及び側面図である。
【００１２】
フレキシブルフラットケーブル１は、複数の平行な導電材を絶縁材２で覆い、その両端部を端子部３，４としている。これら端子部３，４には絶縁材２がなく、前記導電材が露出して接点部１１，１２を形成している。
【００１３】
前記接点部１１，１２のうち、接点部１１は、回路基板５に取りつけられたコネクタ６の挿入口６１に挿入され、コネクタ６の可動部６２が内側に押しつけられることで、フレキシブルフラットケーブルの抜け止めロックが行われるようになっている。
【００１４】
一方、本発明ではフレキシブルフラットケーブル１をコネクタ６に挿入する際の案内具となる治具１３が設けられている。治具１３は、例えば薄い平板状のプラスチック材で成り、フレキシブルフラットケーブル１と平行に延び、端子部３を覆うように取りつけられるもので、フレキシブルフラットケーブル１に接着固定される固定部１３１と、端子部３を覆いかつ指で持ち上げ可能な把持部１３２にてなり、把持部１３２は、折り曲げ線１３３を中心に回動可能になっている。
【００１５】
この治具１３は、前記固定部３１がフレキシブルフラットケーブル１上の前記端子部３の近傍であって、この端子部３を避けた位置の絶縁材２の表面に接着剤１４で固定され、治具１３の幅（Ｌ１）は、フレキシブルフラットケーブル１の幅（Ｌ２）及びコネクタ６の挿入口６１の幅（Ｌ３）よりも大きくなっている。つまり、Ｌ１＞Ｌ３＞Ｌ２となっている。
【００１６】
次にこのようなフレキシブルフラットケーブル１をコネクタ６に挿入する時の動作を図２及び図３を用いて説明する。
【００１７】
図２に示すように、フレキシブルフラットケーブル１の端子部３は、治具１３で覆われているが、把持部１３２を指で持ち上げることにより端子部３が露出する。この状態で把持部１３２を持ったまま端子部３をコネクタ６の挿入口６２に挿入すれば、接点部１１がコネクタ６の接点部６３と接触し、フレキシブルフラットケーブル１とコネクタ６の結合は終了する。その後、コネクタ６の可動部６２を内側に押しつければ、フレキシブルフラットケーブル１はロック作用により抜け止めが行われる。また、把持部１３２を離せば、把持部１３２によってコネクタ６は覆われるようになる。
【００１８】
なお、コネクタ６の出力端６４は回路基板５のパターン５１と接続され、フレキシブルフラットケーブル１はコネクタ６を介して回路基板５に接続される。
【００１９】
このように本発明では、フレキシブルフラットケーブル１をコネクタ６に挿入する際に、柔軟性の高いケーブル本体を掴む必要がないため、ケーブル本体が変形することを防止できる。また、接点部１１に手指が触れることがないため、接点部１１に手垢や指紋が付着することがなく、腐食防止作用がある。またフレキシブルフラットケーブル１の保管時も接点部１１が常時把持部１３２によって覆われているため、接点部１１を保護することができる。
【００２０】
また、把持部１３の幅Ｌ１がコネクタ６の挿入口６２よりも広くなっているため、間違って把持部１３２を挿入口６２に挿入することを防ぐことができる。しかも、本発明のフレキシブルフラットケーブル１のコネクタ６への挿入作業は片手で簡単に行うことができる。
【００２１】
さらに、フレキシブルフラットケーブル１をコネクタ６へ挿入したあと、把持部１３２はコネクタ６の上に被さるため、回路基板５に装着した場合、コネクタ６の厚みと把持部１３２の厚みを合計した程度の厚さ（Ｌ４）があれば良いため、薄型の電気製品において好適なものとなる。
【００２２】
また、コネクタ６からフレキシブルフラットケーブル１を抜くときも、把持部１３２を持って引き抜けばよいため、取り外すときの作業も楽に行うことができる。
【００２３】
なお、以上の説明では、端子部３をコネクタ６に結合する場合の例について説明したが、端子部４を他のコネクタに結合する場合でも、本発明の治具を使用できることは言うまでもない。
【００２４】
また、本発明の第２の実施形態として、治具１３を薄い平板状の導電材で形成するようにしても良い。このように導電材で形成した場合、フレキシブルフラットケーブル１の保管時に接点部１１，１２に静電気等による過電圧がかかったときでも、導電材による治具がその過電圧を吸収するため、接点部を保護することができる。
【００２５】
【発明の効果】
以上に説明したように、本発明のフレキシブルフラットケーブル１では、治具１３を用いることにより、フレキシブルフラットケーブルをコネクタに簡単に挿入することができる。またコネクタへの挿入時にフレキシブルフラットケーブル本体を掴んだり、接点部に触れることがないため、ケーブルの変形や接点部の腐食を防止することができる。
【図面の簡単な説明】
【図１】本発明の一実施形態のフレキシブルフラットケーブルの使用例を示す分解斜視図。
【図２】同実施形態におけるフレキシブルフラットケーブルとコネクタとの関係を示す平面図。
【図３】同実施形態におけるフレキシブルフラットケーブルをコネクタへ挿入する際の動作を説明する側面図。
【符号の説明】
１…フレキシブルフラットケーブル
３，４…端子部
５…回路基板
６…コネクタ
６２…挿入口
１１，１２…接点部
１３…治具
１３１…固定部
１３２…把持部
１４…接着剤
【図１】
2004063113.tif 000003
【図２】
2004063113.tif 000004
【図３】
2004063113.tif 000005